(57)【特許請求の範囲】
【請求項１】
複数の可動ボタンより構成されたボタンの近傍に、ボタンロック部により前記ボタンの動作をそれぞれ固定する複数のピース本体を着脱自在に取付け、前記ピース本体同士を、前記各ボタンのピッチとほぼ同じピッチで連結部により互いに連結することにより、前記複数のボタンを同時に固定できるように構成すると共に、前記連結部により互いに連結されたピース本体を、前記連結部を切り離すことにより、任意な個所の前記可動ボタンを非可動ボタンに設定できるように構成したことを特徴とするボタンロックピース。
【請求項２】
前記ピース本体のボタン側脚部に、前記ボタン近傍に設けられたボタンロックピース支持リブの段部と係合する係止部を設けてなる請求項１記載のボタンロックピース。
【請求項３】
前記係止部を有する脚部と前記ボタンロックピース支持リブとの間に取外し工具を挿入するための切り欠きを形成してなる請求項２記載のボタンロックピース。
【請求項４】
請求項１ないし請求項３のいずれかに記載の前記ボタンロックピースと、前記ボタンロックピースに係止されるボタンを備えたことを特徴とする電子機器。
【発明の詳細な説明】
【０００１】
【発明の属する技術分野】
本発明は電子機器などに設けられたヒンジボタンや連結ボタン（以下単にボタンという）の一部を使用できないように固定するボタンロックピース及びこれを備えた電子機器に関する。
【０００２】
【従来の技術】
従来電子機器などには、操作部に多数のボタンを設けたものがある。
【０００３】
これらボタンのほとんどは、通常可動ボタンにより構成されているが、ユーザが使用目的に応じてボタンの一部を固定することにより、使用できないように設定したものもある。
【０００４】
この機能を採用したボタンとしては、例えば図５に示す構造のものが知られている。
【０００５】
図５に示すボタン構造は、可動ボタンａと非可動ボタンｂが本体上ケースｃ上に並べて配置されていて、可動ボタンａのみが操作可能となっている。
【０００６】
また上記可動ボタンａは、回転ベース可動型ｄの上面に機能表示部ｅが、そして非可動ボタンｂは、回転ベース非可動型ｆの上面に機能表示部ｅが設けられた２ピース構造となっていて、ユーザが例えば可動ボタンａを非可動ボタンｂに設定したり、逆に非可動ボタンｂを可動ボタンａに設定する場合は、その都度可動ボタンａと非可動ボタンｂを交換する作業を行っている。
【０００７】
【発明が解決しようとする課題】
しかし上記従来のボタン構造では、ユーザが可動ボタンａを非可動ボタンｂに設定したり、非可動ボタンｂを可動ボタンａに設定する場合、その都度可動ボタンａや非可動ボタンｂを取外して、ボタンを入れ替える作業を必要とし、作業が面倒であると共に、取外したボタンを紛失しやすいなどの不具合がある。
【０００８】
また可動ボタンａと非可動ボタンｂを取外して入れ替えることにより、可動ボタンａと非可動ボタンｂの切換えを行っているため、複数のボタンを一体に成形した連結ボタンには採用することができず、部品点数が多くなって組立てるのに多くの工数が必要となるため、コストアップを招くなどの不具合がある。
【０００９】
本発明は上記従来の不具合を改善するためになされたもので、ボタンを入れ替えずに可動ボタン、非可動ボタンの切換えを可能にしたボタンロックピースを提供することを目的とするものである。
【００１０】
【課題を解決するための手段】
上記課題を解決するために、本発明に係わるボタンロックピースは、複数の可動ボタンより構成されたボタンの近傍に、ボタンロック部によりボタンの動作をそれぞれ固定する複数のピース本体を着脱自在に取付け、ピース本体同士を、各ボタンのピッチとほぼ同じピッチで連結部により互いに連結することにより、複数のボタンを同時に固定できるように構成すると共に、連結部により互いに連結されたピース本体を、連結部を切り離すことにより、任意な個所の可動ボタンを非可動ボタンに設定できるようにしたものである。
【００１１】
また上記課題を解決するために、本発明に係わるボタンロックピースは、ピース本体のボタン側脚部に、ボタン近傍に設けられたボタンロックピース支持リブの段部と係合する係止部を設けてなるものである。
【００１２】
また上記課題を解決するために、本発明に係わるボタンロックピースは、係止部を有する脚部とボタンロックピース支持リブとの間に取外し工具を挿入するための切り欠きを形成してなるものである。
【００１５】
以上のように構成することにより、可動ボタンを非可動ボタンに設定するボタンの近傍にピース本体を装着するだけで、ボタンの入れ替え作業を必要とせずに可動ボタンを非可動ボタンに設定することができると共に、ピース本体を取外すことにより非可動ボタンを可動ボタンに切換えることができる。
【００１６】
【発明の実施の形態】
請求項１に係わるボタンロックピースは、複数の可動ボタンより構成されたボタンの近傍に、ボタンロック部により前記ボタンの動作をそれぞれ固定する複数のピース本体を着脱自在に取付け、ピース本体同士を、各ボタンのピッチとほぼ同じピッチで連結部により互いに連結することにより、複数のボタンを同時に固定できるように構成すると共に、連結部により互いに連結されたピース本体を、連結部を切り離すことにより、任意な個所の可動ボタンを非可動ボタンに設定できるようにしたことを特徴とする。
【００１７】
かかる構成により、可動ボタンを非可動ボタンに設定する場合、ボタンの近傍にピース本体を装着して、ピース本体のボタンロック部で、ボタンの動作を固定するだけで、可動ボタンを非可動ボタンに設定できるため、従来のような可動ボタンと非可動ボタンを入れ替えるなどの面倒な作業は必要とせず、また取外したボタンを紛失するなどの心配もない。
【００１９】
またかかる構成により、複数のボタンの近傍に、連結部で互いに連結されたピース本体を装着することにより、複数の可動ボタンを同時に非可動ボタンに設定できると共に、各ボタンを共通のヒンジにより互いに連結された連結ボタンとすることができるため、電子機器などの部品点数が大幅に節減でき、これによって組立てに必要な工数の低減が図れると共に、複数のボタン本体を一体成形することにより、部品点数を増すことなく、複数の可動ボタンを同時に非可動ボタンに設定することができる。
【００２１】
更にかかる構成により、各ピース本体を連結している連結部をニッパなどの切断工具で切断して、ピース本体を切り離すことにより、任意な個所のボタンを可動ボタンに設定したり、非可動ボタンに設定することができるため、汎用性が高い。
【００２２】
また請求項２の発明に係わるボタンロックピースは、ピース本体のボタン側脚部に、ボタン近傍に設けられたボタンロックピース支持リブの段部と係合する係止部を設けたものである。
【００２３】
上記構成により、係止部が機器の内側となって触れることがないため、係止部が不用意に外れて、ボタンロックピースやピース本体が脱落したり、紛失することがない。
【００２４】
また請求項３の発明に係わるボタンロックピースは、係止部を有する脚部とボタンロックピース支持リブとの間に取外し工具を挿入するための切り欠きを形成したものである。
【００２５】
上記構成により、非可動ボタンを可動ボタンに設定し直す場合は、係止部を有する脚部とボタンロックピース支持リブの間に、切り欠きよりドライバーなどの工具を差し込んで係合部をボタンロックピース支持リブの段部より外すことにより、ボタンロックピースやピース本体が簡単に取外せるため、非可動ボタンから可動ボタンへの変更が容易に行えるようになる。
【００２６】
また請求項４の発明に係わる電子機器は、請求項１ないし請求項３のいずれかに記載のボタンロックピースと、ボタンロックピースと係止するボタンとを備えたことを特徴とするものである。
【００２７】
次に本発明の実施の形態を図１ないし図４に示す図面を参照して詳述する。
【００２８】
図１はボタンロックピースの斜視図、図２は図１のＡ方向からの矢視図、図３は電話機などの機器に装着した状態の斜視図、図４は図３のＢ−Ｂ線に沿う断面図である。
【００２９】
図１及び図２に示すボタンロックピース１は、後述する機器の本体上ケース１０上に配置された複数の連結ボタン１１の各ボタン１２と同じピッチで設けられた複数のピース本体２を有しており、これらピース本体２間は、ニッパなどの切断工具で簡単に切断できる連結部３により一方の脚部４が一直線状に連結されている。
【００３０】
上記ピース本体２は、断面ほぼ逆Ｕ字形に形成されていて、稜線部に切り欠き５がそれぞれ形成されていると共に、脚部４の他方には、脚部４より幅の狭い係止部６が下方に向けて突設されていて、この係止部６の内側面には、上記本体上ケース１０側に設けられたボタンロックピース支持リブ１５の段部１６に係合する係止突起７が突設されている。
【００３１】
また係止部６の突設された脚部４の上部には、切り欠き５の下縁部より水平方向にボタンロック部８が突設されている。
【００３２】
このボタンロック部８は上記連結ボタン１１の各ボタン１２に設けられたボタン固定用切り欠き１４に下方より係合するよう、ボタン固定用切り欠き１４よりやや幅の狭い突片状に形成されていて、下面のほぼ中央部に補強リブ９が突設されている。
【００３３】
一方本体ケース１０の上面に配置された連結ボタン１１は、図３に示すように複数のボタン１２を一定のピッチで配列した構造で、各ボタン１２の一端側は共通のヒンジ１３により互いに連結されていて、各ボタン１２の他端側はヒンジ１３を中心に上下動自在となっている。
【００３４】
そして各ボタン１２の他端面に、上記ピース本体２に設けられたボタンロック部８が係合するボタン固定用切り欠き１４が形成されていると共に、各ボタン１２の他端側近傍には、各ボタン１２の端面と平行するようにボタンロックピース支持リブ１５がほぼ垂直に突設されている。
【００３５】
上記ボタンロックピース支持リブ１５の高さは図４に示すように、各ボタン１２の端面に形成されたボタン固定用切り欠き１４の上面よりやや低く形成されていて、このボタンロックピース支持リブ１５に、上記ボタンロックピース１を上方より挟着した際に、ボタンロック部８の上面がボタン固定用切り欠き１４の下面に下方より当接するようになっていると共に、上記ボタンロックピース支持リブ１５のボタン１２側に、ピース本体２の脚部４より突設された係止部６の係止突起７が係合する段部１６が突設されている。
【００３６】
次に上記構成されたボタンロックピース１の作用を説明する。
【００３７】
本体上ケース１０上に配列された連結キー１１は、ボタンロックピース１を装着しない状態では全てのボタン１２が可動ボタンとなっていて操作可能であるが、これら可動ボタンの一部を非可動ボタンに切換える場合、非可動ボタンにするボタン１２と同じ数のピース本体２を有するボタンロックピース１を、ボタンロックピース支持リブ１５に上方より圧入して、各脚部４でボタンロックピース支持リブ１５を挟着する。
【００３８】
図３は連結ボタン１１の左側の５個を非可動ボタンに切換え設定した場合の例を示したもので、５個のボタン１２に対応する数のピース本体２を有するボタンロックピース１をボタンロックピース支持リブ１５に装着した状態を示している。
【００３９】
またボタンロックピース１をボタンロックピース支持リブ１５に装着すると、ボタン１２側の脚部４より突設された係止部６の係止突起７がボタンロックピース支持リブ１５の段部１６に図４に示すように係合するため、ボタンロックピース１が抜け外れることがないと共に、このとき係止部６は機器の内側となるため、不用意に触れたために外れるなどの心配がない。
【００４０】
以上のようにしてボタンロックピース１をボタンロックピース支持リブ１５に取付けると、各ピース本体２よりボタン１２側へ突設されたボタンロック部８の先端側上面が各ボタン１２のボタン固定用切り欠き１４の下面に下方より当接して、各ボタン１２の下動を阻止するため、ボタンロックピース１の装着されたボタン１２を可動ボタンより非可動ボタンへ切換えることができる。
【００４１】
また一旦取付けたボタンロックピース１を取外す場合は、稜線部に形成された切り欠き５よりボタン１２側の脚部４とボタンロックピース支持リブ１５の間にドライバーなどの工具を差し込んで、係止部６の係止突起７を段部１６より外しながら、ボタンロックピース１を上方へ引き抜くことにより、簡単に取外すことができる。
【００４２】
一方連結ボタン１１の任意な個所のボタン１２を選択的に固定したり、機器に設けられたボタン１２が１個ずつ独立した複数のヒンジボタンより構成されていて、これらヒンジボタンの任意なボタン１２を固定する場合は、ボタンロックピース１の連結部３をニッパなどの切断工具で切断して、ピース本体２を切り離し、このピース本体２を固定したいボタン１２の近傍のボタンロックピース支持リブ１５へ上記と同様な要領で装着すればよく、複数配列された任意な個所のボタン１２を取り外すことなく非可動ボタンに切換えることができる。
【００４３】
【発明の効果】
以上説明したように、請求項１の発明に係わるボタンロックピースによれば、複数の可動ボタンより構成されたボタンの近傍に、ボタンロック部により前記ボタンの動作をそれぞれ固定する複数のピース本体を着脱自在に取付け、ピース本体同士を、各ボタンのピッチとほぼ同じピッチで連結部により互いに連結することにより、複数のボタンを同時に固定できるように構成すると共に、連結部により互いに連結されたピース本体を、連結部を切り離すことにより、任意な個所の可動ボタンを非可動ボタンに設定できるようにしたことにより、可動ボタンを非可動ボタンに設定する場合、ボタンの近傍にピース本体を装着して、ピース本体のボタンロック部で、ボタンの動作を固定するだけで、可動ボタンを非可動ボタンに設定できるため、従来のような可動ボタンと非可動ボタンを入れ替えるなどの面倒な作業は必要とせず、また取外したボタンを紛失する心配もないなどの効果が得られる。
【００４４】
また請求項１の発明に係わるボタンロックピースによれば、複数のピース本体を、各ボタンのピッチとほぼ同じピッチで連結部により互いに連結し、かつこれらピース本体をボタンの近傍に着脱自在に取付けることにより複数のボタンを同時に固定できるようにしたことで、複数のボタンの近傍に、連結部で互いに連結されたピース本体を装着するだけで、複数の可動ボタンを同時に非可動ボタンに設定できると共に、各ボタンを共通のヒンジにより互いに連結された連結ボタンとすることができるため、電子機器などの部品点数が大幅に節減でき、これによって組立てに必要な工数の低減が図れると共に、複数のボタン本体を一体成形することにより、部品点数を増すことなく、複数の可動ボタンを同時に非可動ボタンに設定することができるという効果が得られる。
【００４５】
また請求項１の発明に係わるボタンロックピースによれば、連結部により互いに連結されたピース本体を、連結部より切り離すことにより、任意な個所のボタンを個別に固定できるようになり、各ピース本体を連結している連結部をニッパなどの切断工具で切断して、ピース本体を切り離すだけで、任意な個所のボタンを可動ボタンに設定したり、非可動ボタンに設定することができるため、汎用性が高いなどの効果が得られる。
【００４６】
また請求項２の発明に係わるボタンロックピースによれば、ピース本体のボタン側脚部に、ボタン近傍に設けられたボタンロックピース支持リブの段部と係合する係止部を設けたことにより、係止部が機器の内側となって触れることがないため、係止部が不用意に外れて、ボタンロックピースやピース本体が脱落したり、紛失することがないなどの効果が得られる。
【００４７】
また請求項３の発明に係わるボタンロックピースによれば、係止部を有する脚部とボタンロックピース支持リブとの間に取外し工具を挿入するための切り欠きを形成したことにより、非可動ボタンを可動ボタンに設定し直す場合は、係止部を有する脚部とボタンロックピース支持リブの間に、切り欠きよりドライバーなどの工具を差し込んで係合部をボタンロックピース支持リブの段部より外すだけで、ボタンロックピースやピース本体が簡単に取外せるため、非可動ボタンから可動ボタンへの変更が容易に行えるようになるなどの効果が得られる。
【図面の簡単な説明】
【図１】本発明の一実施の形態になるボタンロックピースの斜視図
【図２】図１のＡ方向からの矢視図
【図３】本発明の一実施の形態になるボタンロックピースを連続ボタンに装着した状態の斜視図
【図４】図３のＢ−Ｂ線に沿う断面図
【図５】従来の可動ボタン及び非可動ボタンを示す説明図
【符号の説明】
１    ボタンロックピース
２    ボタン本体
３    連結部
４    脚部
５    切り欠き
６    係止部
８    ボタンロック部
１０  本体上ケース
１２  ボタン
１４  ボタン固定用切り欠き
１５  ボタンロックピース支持リブ
１６  段部
【図１】
0003719458.tif 000002
【図２】
0003719458.tif 000003
【図３】
0003719458.tif 000004
【図４】
0003719458.tif 000005
【図５】
0003719458.tif 000006